(57)【要約】【課題】使い勝手が向上した洗面化粧ユニットを提供する。【解決手段】洗面化粧ユニットは、洗面ボウル６を有する洗面台２と、洗面ボウル６に吐水する吐水装置３と、洗面台２よりも上方に設けられる上部キャビネット１０と、ユーザの操作を検知するための非接触式の吐液センサ４０と、吐液センサ４０がユーザの操作を検知すると駆動する、上部キャビネット１０から液体を吐出させるための吐出装置３０と、を備える。【選択図】図２
2019176941.tif 000002
【特許請求の範囲】
【請求項１】
洗面ボウルを有する洗面台と、
前記洗面ボウルに吐水する吐水装置と、
前記洗面台よりも上方に設けられるキャビネットと、
ユーザの操作を検知するための非接触式のセンサと、
前記センサがユーザの操作を検知すると駆動する、前記キャビネットから液体を吐出させるための吐出装置と、
を備えることを特徴とする洗面化粧ユニット。
【請求項２】
前記センサは、その検知領域が、前記吐水装置の検知領域と重ならないように構成されていることを特徴とする請求項１に記載の洗面化粧ユニット。
【請求項３】
前記センサは、その検知領域が、前記吐水装置の吐水口よりも下側に突出しないように構成されていることを特徴とする請求項２に記載の洗面化粧ユニット。
【請求項４】
前記キャビネットの底板に形成された吐出口から液体が吐出されることを特徴とする請求項１から３のいずれかに記載の洗面化粧ユニット。
【請求項５】
前記吐出口は、前記洗面ボウルの上方に設けられることを特徴とする請求項４に記載の洗面化粧ユニット。
【請求項６】
前記吐出口は、前記吐水装置の上方を避けた位置に設けられることを特徴とする請求項５に記載の洗面化粧ユニット。
【請求項７】
前記センサは、前記吐出口の下方に差し出された手を検知するように構成されていることを特徴とする請求項４から６のいずれかに記載の洗面化粧ユニット。
【請求項８】
前記キャビネットの収納扉を開くために使用者が指を掛けるための収納扉の背面の範囲を指掛け範囲と称すとき、
前記吐出口は、平面視で前記指掛け範囲の後方を避けた位置に形成されることを特徴とする請求項７に記載の洗面化粧ユニット。
【請求項９】
前記キャビネットには、液体を吐出可能に構成された吐出容器が、当該吐出容器から吐出される液体が前記吐出口から吐出されるように配置され、
前記吐出装置は、前記センサがユーザの操作を検知すると前記吐出容器から液体を吐出させることを特徴とする請求項４から８のいずれかに記載の洗面化粧ユニット。
【請求項１０】
本洗面化粧ユニットはさらに、前記吐出容器を傾いた状態に保持する保持部を備えることを特徴とする請求項９に記載の洗面化粧ユニット。
【発明の詳細な説明】
【技術分野】
【０００１】
本発明は、洗面化粧ユニットに関する。
【背景技術】
【０００２】
従来、様々な洗面化粧ユニットが提案されている。例えば特許文献１には、石鹸液等の液体を抽出できるようにした抽出装置が化粧棚の内部に装備された洗面化粧ユニットが提案されている。
【先行技術文献】
【特許文献】
【０００３】
【特許文献１】実開平２−５０２８９号公報
【発明の概要】
【発明が解決しようとする課題】
【０００４】
特許文献１に記載された技術では、ユーザがボタンを押すことにより、液体が吐出される。そのため、ボタンを押す手に水、石鹸液、その他の液体が付いていると、ボタンやその周りが汚れ、掃除の手間が生じる。あるいは、ボタンやその周りが汚れないように、ボタンを操作する前に手に付いた液体を拭う必要が生じる。いずれにしろ、使い勝手が悪い。
【０００５】
本発明はこうした状況に鑑みてなされたものであり、その目的は、使い勝手が向上した洗面化粧ユニットを提供することにある。
【課題を解決するための手段】
【０００６】
上記課題を解決するために、本発明のある態様の洗面化粧ユニットは、洗面ボウルを有する洗面台と、洗面ボウルに吐水する吐水装置と、洗面台よりも上方に設けられるキャビネットと、ユーザの操作を検知するための非接触式のセンサと、センサがユーザの操作を検知すると駆動する、キャビネットから液体を吐出させるための吐出装置と、を備える。
【発明の効果】
【０００７】
本発明によれば、使い勝手が向上した洗面化粧ユニットを提供できる。
【図面の簡単な説明】
【０００８】
【図１】実施の形態に係る洗面化粧ユニットを示すの斜視図である。
【図２】図１の中央収納扉の下部とその周辺を拡大して示す正面図である。
【図３】実施の形態の変形例に係る洗面化粧ユニットの中央収納扉の下部とその周辺を拡大して示す正面図である。
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また、本明細書において、「上」、「下」、「左」、「右」はそれぞれ、洗面化粧ユニットを利用するユーザから見た上、下、左、右をいう。また、「前」、「後」はそれぞれ、ユーザから見て手前側、奥側をいう。
【００１０】
図１は、実施の形態に係る洗面化粧ユニット１を示す斜視図である。洗面化粧ユニット１は、例えば洗面所に設置される。洗面化粧ユニット１は、洗面台２と、吐水装置３と、下部キャビネット４と、バックパネル５と、上部キャビネット１０と、を備える。
【００１１】
下部キャビネット４は、床面に設置される。下部キャビネット４は、本実施の形態では２つの引出を有しており、例えば洗面用具や化粧品を収容できる。洗面台２は、洗面ボウル６と、カウンター７と、を含む。洗面ボウル６は、下方に窪んだ凹状に形成される。洗面ボウル６は、吐水装置３から吐水される水を受ける。カウンター７は、板状であり、本実施の形態では洗面ボウル６の両サイドに設けられる。本実施の形態では、洗面ボウル６とカウンター７とは一体に形成されている。バックパネル５は、洗面台２の上方の壁面に固定される。本実施の形態では、バックパネル５の前面には、鏡が取り付けられている。
【００１２】
上部キャビネット１０は、バックパネル５の上方の壁面に固定される。上部キャビネット１０は、収納棚１２と、収納扉１４で総称される中央収納扉１４Ｃ、左収納扉１４Ｌ、右収納扉１４Ｒと、を含む。収納棚１２には、洗面用具、化粧品、その他の物品を収納できる。３つの収納扉１４は、収納棚１２を開閉可能に覆う扉である。本実施の形態では、各収納扉１４の前面には、鏡が取り付けられている。つまり、本実施の形態の上部キャビネット１０は、ミラーキャビネットである。
【００１３】
吐水装置３は、洗面ボウル６の後ろ側に設置される。吐水装置３は、ユーザの操作に応じて吐水口３ａから吐水する。吐水装置３は吐水センサ（不図示）を有する。吐水センサは、非接触センサであり、吐水口３ａの下方の検知領域５２に差し出されたユーザの手を非接触で検知する。吐水センサが手を検知している間、吐水口３ａから吐水される。
【００１４】
図２は、中央収納扉１４Ｃの下部とその周辺を拡大して示す正面図である。なお、図２では、中央収納扉１４Ｃを透視している。洗面化粧ユニット１はさらに、ユーザの操作を検知するための吐液センサ４０と、吐液センサ４０がユーザの操作を検知すると駆動する、吐出容器２０から液体を吐出させるための吐出装置３０と、を備える。
【００１５】
収納棚１２は、中央収納扉１４Ｃに開閉される中央収納空間３２Ｃと、左収納扉１４Ｌに開閉される左収納空間３２Ｌと、右収納扉１４Ｒに開閉される右収納空間３２Ｒと、を有する。収納棚１２には、この例では中央収納空間３２Ｃには、吐出容器２０が配置されている。
【００１６】
吐出容器２０は、液体が収容される容器本体２２と、容器本体２２に収容される液体（例えばハンドソープ液や消毒液やハンドクリームなど）を吐出させるためのディスペンサ２４と、を含む。吐出容器２０は、例えば市販の吐出容器や、市販のハンドソープ液入りの吐出容器や、市販のハンドクリーム入りの吐出容器であってもよい。ディスペンサ２４は、公知の技術を用いて構成されればよい。ここでは、ディスペンサ２４の構成の一例を簡単に説明する。ディスペンサ２４は、ノズル２７を有するヘッド２６と、容器本体２２の開口に装着されるキャップ２８と、容器本体２２に収容されるポンプ（不図示）と、備える。ヘッド２６に下向きの力を加えてヘッド２６を押し下げると、ポンプが容器本体２２内の液体を吸い上げ、ヘッド２６のノズル２７から吐出される。ヘッド２６は上方に付勢されているため、ヘッド２６に下向きの力を加えるのを止めると、ヘッド２６は元の位置に上昇する。
【００１７】
収納棚１２の底板１７には、この例では中央収納空間３２Ｃの下方に位置する底板１７の部分には、吐出容器２０のノズル２７から吐出された液体を通過させるための吐出口１７ａが形成されている。吐出口１７ａは特に、平面視で（上方から見て）後述の指掛け範囲４６の後方となる位置を避けた位置に形成されている。吐出口１７ａは、底板１７を上下に貫通する貫通孔であっても、切欠きであってもよい。吐出容器２０は、ノズル２７の先端すなわち吐出口２７ａが収納棚１２の吐出口１７ａの真上に位置するように配置される。これにより、吐出容器２０の吐出口２７ａから吐出された液体は、吐出口２７ａを通じて収納棚１２の外に落下し、ユーザが手でこれを受けることができる。吐出口１７ａは、好ましくは洗面ボウル６の真上に設けられる。この場合、ユーザが受けられなかった液体は洗面ボウル６に落ちるため、カウンター７が吐出容器２０からの液体で汚れずに済む。また、吐出容器２０から吐出される液体を受けるべく差し出された手が水で濡れていても、手に付いた水は洗面ボウル６落ちるため、カウンター７が濡れずに済む。また吐出口１７ａは、さらに好ましくは、吐水装置３の真上を避けた位置、例えば吐水装置３の真上から左右のいずれかにずれた位置に設けられる。これにより、ユーザが受けられなかった液体が吐水装置３に垂れて吐水装置３が汚れるのを抑止できる。
【００１８】
なお、吐出容器２０の中には、ノズル２７の吐出口２７ａが容器本体２２の真上に位置するものもある。この場合、吐出口２７ａから吐出された液体は容器本体２２に垂れてしまう。この場合、ノズル２７に延長ノズルを装着し、吐出口（延長ノズルの吐出口）が容器本体２２の真上に位置しないようにすればよい。そして、延長ノズルの吐出口が吐出口１７ａの真上に位置するように吐出容器２０を配置すればよい。
【００１９】
吐出装置３０は、中央収納空間３２Ｃに配置されている。吐出装置３０は、押圧部材３２と、押圧部材３２を上下動させる駆動部３４と、駆動部３４を制御する制御部３６と、を含む。押圧部材３２は、吐出容器２０のディスペンサ２４のヘッド２６に上側から当接する。駆動部３４は、モータにより駆動され、押圧部材３２を上下に移動させる。制御部３６は、特に限定しないが、駆動部３４の筐体内に収容される。制御部３６は、吐液センサ４０がユーザの手を検知すると、駆動部３４を制御して押圧部材３２を下方に移動させ、ヘッド２６を押し下げる。これにより、ヘッド２６のノズル２７から液体が吐出される。つまり、吐出装置３０は、ディスペンサ２４を駆動して容器本体２２に収容される液体をディスペンサ２４から吐出させる。
【００２０】
吐液センサ４０は、底板１７の底面に固定される。吐液センサ４０は、非接触センサであり、その検知領域４２に差し出されたユーザの手を非接触で検知する。吐液センサ４０は、検知結果に基づく信号を制御部３６に送る。
【００２１】
吐液センサ４０は、収納棚１２に形成された吐出口１７ａの下方に差し出されたユーザの手を検知するように構成される。具体的には例えば、吐液センサ４０は、その検知領域４２が、吐出口１７ａの下方の領域を含むように構成される。これにより、吐出口１７ａの下方に差し出された手を吐液センサ４０が検知して液体が吐出されるため、吐出口１７ａの下方に差し出された手でそのまま液体を受けることができる。
【００２２】
また、吐液センサ４０は、吐水装置３に吐水させるべく吐水口３ａの下方に差し出された手を検知しないように構成される。すなわち、吐液センサ４０は、吐水口３ａの下方が検知領域外となるように、別の言い方をするとその検知領域４２が吐水装置３の吐水センサ５０の検知領域５２と重ならないように構成される。具体的には例えば、吐液センサ４０は、その検知領域４２が吐水装置３の吐水口３ａよりも下側に突出しないように構成されてもよい。この場合、吐水口３ａの下方の領域は吐液センサ４０の検知領域外となる。
【００２３】
ところで、中央収納扉１４Ｃは、その背面の下部に指を掛けて手前に引くと開く。つまり上部キャビネット１０は、中央収納扉１４Ｃが閉まっている状態において中央収納扉１４Ｃの背面に使用者の指を掛けられるように構成されている。本実施の形態では、底板の下面が中央収納扉１４Ｃの下端よりも上側に位置するようにもうけられているため、収納扉１４の背面に指を掛けられるようになっている。以下、中央収納扉１４Ｃを開くときに指が掛かりうる中央収納扉１４Ｃの背面の範囲を「指掛け範囲４６」と呼ぶ。
【００２４】
吐液センサ４０は、中央収納扉１４Ｃを開くために差し出された手を検知しないように構成される。具体的には例えば、吐液センサ４０は、指掛け範囲４６の近傍が、例えば指掛け範囲４６の後方や下方が、検知領域外となるように構成される。ここで、通常、扉を開く場合、蝶番から遠い側に指を掛ける。したがって、指掛け範囲４６は例えば、中央収納扉１４Ｃの背面の下側の範囲のうち、左右方向において蝶番から遠い端部寄りの範囲、より具体的には左右方向における中央よりも蝶番から遠い側の範囲であってもよい。この場合、右開きの中央収納扉１４Ｃでは、中央収納扉１４Ｃの背面の下側の範囲のうち、左右方向における中央よりも左側の範囲が指掛け範囲４６となる。そして吐出口１７ａは、平面視で、左右方向において蝶番に近い端部寄りの中央収納扉１４Ｃの部分の背後、より具体的には左右方向における中央よりも蝶番に近い側の収納扉１４の部分の背後に形成されてもよい。そして吐液センサ４０は、吐出口１７ａの下方の領域を検知領域４２に含む一方で、左右方向において蝶番から遠い端部寄りの中央収納扉１４Ｃの部分の背後や下方が、より具体的には左右方向における中央よりも蝶番から遠い側の収納扉１４の部分の背後や下方が、検知領域外となるように構成されてもよい。この場合、例えば右開きの中央収納扉１４Ｃでは、左右方向における中央よりも左側の中央収納扉１４Ｃの部分の背後や下方が、吐液センサ４０の検知領域外となる。
【００２５】
本実施の形態によれば、洗面化粧ユニット１に触れることなく、洗面化粧ユニット１から液体を吐出させることができる。これにより、液体を吐出させ際に洗面化粧ユニット１が汚れるのを抑止でき、掃除の手間を低減できる。あるいはまた、洗面化粧ユニット１に触れないため、液体を吐出させる前に手に付いた液体を拭う必要もなくなる。つまり、本実施の形態によれば、洗面化粧ユニット１の使い勝手が向上する。
【００２６】
以上、実施の形態に係る洗面化粧ユニットについて説明した。この実施の形態は例示であり、各構成要素の組み合わせにいろいろな変形例が可能なこと、またそうした変形例も本発明の範囲にあることは当業者に理解されるところである。
【００２７】
（変形例１）
図３は、変形例に係る洗面化粧ユニットの中央収納扉１４Ｃの下部とその周辺を拡大して示す正面図である。図３は図２に対応する。本変形例では、洗面化粧ユニットはさらに、吐出容器２０を傾いた状態に保持する保持部３８を備える。この場合、吐出容器２０を傾いた状態に保持するのに合わせて、駆動部３４がヘッド２６を押し下げる方向も傾いている。本変形例によれば、傾けない場合にはノズル２７の吐出口２７ａが容器本体２２の真上に位置する吐出容器２０について、延長ノズルを装着せずとも、吐出口２７ａが容器本体２２の真上に位置しないようにできる。さらなる変形例として、保持部３８は、吐出容器２０を保持する角度を調整できるように構成されてもよい。この場合、保持部３８は、吐出容器２０を傾けずに保持することも、吐出容器２０を傾けて保持し、かつ、その角度を調整することもできる。
【００２８】
（変形例２）
実施の形態では、吐出装置３０および吐出容器２０が中央収納空間３２Ｃに配置される場合について説明したが、これに限られず、吐出装置３０および吐出容器２０は左収納扉１４Ｌまたは右収納扉１４Ｒに配置されてもよい。この場合、左収納扉１４Ｌまたは右収納扉１４Ｒの下方に位置する底板１７の部分に吐出口１７ａが形成されればよい。
【００２９】
（変形例３）
実施の形態および上述の変形例では、吐出容器２０が収納棚１２の収納空間に配置される場合について説明したが、これに限られない。吐出容器２０に相当する部材が洗面化粧ユニット１の構成部品として洗面化粧ユニット１に備え付けられていてもよい。この場合、容器本体は、収納棚１２の収納空間内において収納棚１２に固定されていてもよいし、その他の場所に設けられていてもよい。また、容器本体と収納棚１２の吐出口１７ａとが例えばチューブで接続され、吐出装置が駆動することにより容器本体から液体が吸い上げられてチューブを介して吐出口１７ａから吐出されてもよい。
【００３０】
（変形例４）
実施の形態および上述の変形例では、上部キャビネット１０は、洗面化粧ユニットの一部を構成し、洗面所に設置される場合について説明したが、これに限られず、キッチン、トイレ、その他の場所に設置されてもよい。
【００３１】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００３２】
以上の実施の形態および変形例により具体化される発明を一般化すると、以下の技術的思想が導かれる。
本発明のある態様の洗面化粧ユニットは、洗面ボウルを有する洗面台と、洗面ボウルに吐水する吐水装置と、洗面台よりも上方に設けられるキャビネットと、ユーザの操作を検知するための非接触式のセンサと、センサがユーザの操作を検知すると駆動する、液体を吐出させるための吐出装置と、を備える。
【００３３】
この態様によると、洗面化粧ユニットに触れることなく、洗面化粧ユニットから液体を吐出させることができる。これにより、液体を吐出させ際に洗面化粧ユニットが汚れるのを抑止でき、掃除の手間を低減できる。あるいはまた、洗面化粧ユニットに触れないため、液体を吐出させる前に手に付いた液体を拭う必要もなくなる。つまり、洗面化粧ユニットの使い勝手が向上する。
【００３４】
センサは、その検知領域が、吐水装置の検知領域と重ならないように構成されていてもよい。
【００３５】
センサは、その検知領域が、吐水装置の吐水口よりも下側に突出しないように構成されていてもよい。
【００３６】
キャビネットの底板に形成された吐出口から液体が吐出されてもよい。
【００３７】
吐出口は、洗面ボウルの上方に設けられてもよい。
【００３８】
吐出口は、吐水装置の上方を避けた位置に設けられてもよい。
【００３９】
センサは、吐出口の下方に差し出された手を検知するように構成されていてもよい。
【００４０】
キャビネットの収納扉を開くために使用者が指を掛けるための収納扉の背面の範囲を指掛け範囲と称すとき、吐出口は、平面視で指掛け範囲の後方を避けた位置に形成されてもよい。
【００４１】
キャビネットには、液体を吐出可能に構成された吐出容器が、当該吐出容器から吐出される液体が吐出口から吐出されるように配置され、吐出装置は、センサがユーザの操作を検知すると吐出容器から液体を吐出させてもよい。
【００４２】
本洗面化粧ユニットはさらに、吐出容器を傾いた状態に保持する保持部を備えてもよい。この態様によると、延長ノズルが不要となる。
【符号の説明】
【００４３】
１  洗面化粧ユニット、  ２  洗面台、  ３  吐水装置、  １０  上部キャビネット、  ３０  駆動装置、  ４０  吐液センサ。
【図１】
2019176941.tif 000003
【図２】
2019176941.tif 000004
【図３】
2019176941.tif 000005